(57)【特許請求の範囲】
【請求項１】
建物のフロア内を区画するエリアのレイアウト表示情報を記憶するレイアウト表示情報記憶部と、
前記エリアを特定するエリア識別情報と、このエリア識別情報に紐付された各エリアに設置された空調機の空調機識別情報とを記憶する空調機グループ情報記憶部と、
前記フロア内に設置された空調機を集中管理するための空調機管理用画面情報を生成する管理用画面情報生成部と、を備え、
前記管理用画面情報生成部は、
前記空調機管理用画面情報の生成指示に応答して、前記レイアウト表示情報記憶部から前記レイアウト表示情報を読み出すとともに、前記空調機グループ情報記憶部から前記エリア識別情報を読み出して、画面表示させる手段と、
選択されたエリア識別情報を、表示されたレイアウト表示情報画面上の所定位置に対応付ける操作がされたときに、当該所定位置を、当該エリア識別情報を示す表示情報の表示位置として登録するとともに、当該表示位置の近傍に、前記エリア識別情報に紐付けされた空調機識別情報のテキスト情報を表示させる手段と、
表示されたテキスト情報が前記レイアウト表示情報画面上の所定位置に移動操作されたときに、移動先の位置を、該当する空調機識別情報が対応づけられた空調機アイコンの表示位置として登録し、表示されたテキスト情報の中から、表示位置が登録された空調機識別情報のテキスト情報を削除することで空調機管理画面情報を生成する手段と
を備えることを特徴とする空調機管理用画面生成装置。
【請求項２】
建物のフロア内を区画するエリアのレイアウト表示情報を記憶するレイアウト表示情報記憶部と、
前記エリアを特定するエリア識別情報と、このエリア識別情報に紐付けされた各エリアに設置された空調機の空調機識別情報とを記憶する空調機グループ情報記憶部と、
前記フロア内に設置された空調機を集中管理するための空調機管理用画面情報を生成する管理用画面情報生成部と、を備えた空調機管理用画面生成装置が、
前記空調機管理用画面情報の生成指示に応答して、前記レイアウト表示情報記憶部から前記レイアウト表示情報を読み出すとともに、前記空調機グループ情報記憶部から前記エリア識別情報を読み出して、画面表示させるステップと、
選択されたエリア識別情報を、表示されたレイアウト表示情報画面上の所定位置に対応付ける操作がされたときに、当該所定位置を、当該エリア識別情報を示す表示情報の表示位置として登録するとともに、当該表示位置の近傍に、前記エリア識別情報に紐付けされた空調機識別情報のテキスト情報を表示させるステップと
表示されたテキスト情報が前記レイアウト表示情報画面上の所定位置に移動操作されたときに、移動先の位置を、該当する空調機識別情報が対応づけられた空調機アイコンの表示位置として登録し、表示されたテキスト情報の中から、表示位置が登録された空調機識別情報のテキスト情報を削除することで空調機管理画面情報を生成するステップと
を有することを特徴とする空調機管理用画面生成方法。
【発明の詳細な説明】
【技術分野】
【０００１】
本発明の実施形態は、空調機管理用画面生成装置、およびこれを利用する空調管理装置、空調機管理用画面生成方法に関する。
【背景技術】
【０００２】
通常、複数のテナントが入居する大型の建物には多数の空調機が設置されている。これらの空調機の動作は、中央の空調管理装置で集中管理するように空調システムが構築されている。
【０００３】
中央の空調管理装置では、タッチパネルやＰＣの画面に建物内の空調機（室内機）を管理するための管理用画面が表示され、ユーザがこの管理用画面を用いて操作を行うことにより、所望の空調機の監視や制御を行うことができる。この管理用画面には、建物内のフロアごとのレイアウト図に、各空調機を示すアイコンが該当する位置に表示されており、ユーザが所望のアイコンを選択すると、当該アイコンに対応する空調機の設定状態や動作状態が表示されるとともにユーザによる制御操作が可能になる。
【先行技術文献】
【特許文献】
【０００４】
【特許文献１】特許第５１２５５９３号公報
【特許文献２】特開２００９−３０００６０号公報
【発明の概要】
【発明が解決しようとする課題】
【０００５】
上述した管理用画面の表示情報は、フロアごとのレイアウト図が表示された画面上で、設計者が手動で各空調機の位置を指定することで、レイアウト図内の該当する位置に各空調機のアイコンが登録されて生成される。
【０００６】
しかし、このアイコンの位置を登録する作業は、どの空調機が建物内のどの位置に設置されているかを作業者が１台ずつ確認しながら行わなければならず、煩雑で手間がかかるという問題があった。特に、数百台もの空調機が設置されているような大型の建物内に関する管理用画面を生成する場合には、アイコンの配置位置を間違う確率も高くなってしまうという問題があった。
【０００７】
本発明は上記事情に鑑みてなされたものであり、複数の空調機を集中管理するための管理用画面を、簡易な操作で生成可能とする空調機管理用画面生成装置、およびこれを利用する空調管理装置、空調機管理用画面生成方法を提供することを目的とする。
【課題を解決するための手段】
【０００８】
上記目的を達成するための実施形態によれば空調機管理用画面生成装置は、空調機グループ情報記憶部と管理用画面情報生成部とを備える。空調機グループ情報記憶部は、建物のフロア内を区画するエリアのエリア識別情報と、各エリアに設置された空調機の空調機識別情報とを格納した空調機グループ情報を記憶する。管理用画面情報生成部は、選択されたエリア識別情報を前記エリアのレイアウト表示情報上の所定位置に対応付ける操作がされたときに、当該所定位置を、当該エリア識別情報を示す表示情報の表示位置として登録するとともに、当該表示位置の近傍に、前記エリア識別情報に紐付けされた空調機識別情報のテキスト情報を表示させ、表示されたテキスト情報が前記レイアウト表示情報画面上の所定位置に移動操作されたときに、移動先の位置を、該当する空調機識別情報が対応づけられた空調機アイコンの表示位置として登録し、表示されたテキスト情報の中から、表示位置が登録された空調機識別情報のテキスト情報を削除することで空調機管理画面情報を生成する。
【図面の簡単な説明】
【０００９】
【図１】本発明の第１および第２実施形態による空調管理装置を利用した空調システムを示す全体図である。
【図２】本発明の第１および第２実施形態による空調管理装置に記憶されるレイアウト表示情報の一例である。
【図３】本発明の第１および第２実施形態による空調管理装置に記憶される空調機グループ情報の一例ある。
【図４】本発明の第１実施形態による空調管理装置の動作を示すフローチャートである。
【図５】本発明の第１実施形態による空調管理装置でレイアウト表示情報と空調機グループ情報とが表示された状態を示す画面構成図である。
【図６】本発明の第１実施形態による空調管理装置で実行される管理用画面情報の生成処理において、グループ名がドラッグアンドドロップ操作された状態を示す画面構成図である。
【図７】本発明の第１実施形態による空調管理装置で実行される管理用画面情報の生成処理において、グループ名の表示情報および該当する空調機アイコンが表示された状態を示す画面構成図である。
【図８】本発明の第１実施形態による空調管理装置で実行される管理用画面情報の生成処理において、表示された空調機アイコンが移動操作された状態を示す画面構成図である。
【図９】本発明の第１実施形態による空調管理装置で実行される管理用画面情報の生成処理において、移動操作された空調機アイコンの表示位置が登録された状態を示す画面構成図である。
【図１０】本発明の第１実施形態による空調管理装置で実行される管理用画面情報の生成処理において、該当するフロアのすべての空調機アイコンの表示位置が登録された状態を示す画面構成図である。
【図１１】本発明の第１実施形態による空調管理装置で実行される管理用画面情報の生成処理において、生成された管理用画面上において、選択された空調機アイコンに関する空調機状態の情報が表示された状態を示す画面構成図である。
【図１２】本発明の第２実施形態による空調管理装置の動作を示すフローチャートである。
【図１３】本発明の第２実施形態による空調管理装置で実行される管理用画面情報の生成処理において、グループ名の表示情報および該当する空調機のリスト情報が表示された状態を示す画面構成図である。
【図１４】本発明の第２実施形態による空調管理装置で実行される管理用画面情報の生成処理において、リスト情報から選択された空調機の識別情報が移動操作された状態を示す画面構成図である。
【図１５】本発明の第２実施形態による空調管理装置で実行される管理用画面情報の生成処理において、移動操作された識別情報に関する空調機アイコンの表示位置が登録された状態を示す画面構成図である。
【発明を実施するための形態】
【００１０】
《第１実施形態》
〈第１実施形態による空調管理装置を利用した空調システムの構成〉
本発明の第１実施形態による空調管理装置を利用した空調システムの構成について、図１を参照して説明する。本実施形態による空調システム１は、建物内に設置された複数の空調機と、これら複数の空調機の動作を集中管理する空調管理装置１０とを備える。空調機は、一般的に相互に冷媒配管で接続された室内機と室外機とから構成されるが、本発明は、屋内に設置された室内機の表示に関するものであるため、本説明においては、空調機は、建物内に設置された室内機を意味する。
【００１１】
図１においては、空調機として、１Ｆ（１階）に設置された空調機AC01〜AC22を示している。当該建物の１Ｆのフロアは、ロビーに該当するエリアａ１、小会議室に該当するエリアａ２、試験室に該当するエリアａ３、第１大会議室に該当するエリアａ４、第２大会議室に該当するエリアａ５、および事務室に該当するエリアａ６の６つのエリアに区画されており、ロビー（エリアａ１）には空調機AC01およびAC02が設置され、小会議室（エリアａ２）には空調機AC03およびAC04が設置され、試験室（エリアａ３）には空調機AC05およびAC06が設置され、第１大会議室（エリアａ４）には空調機AC11〜AC14が設置され、第２大会議室（エリアａ５）には空調機AC07〜AC10が設置され、事務室（エリアａ６）には空調機AC15〜AC22が設置されている。図１では、１Ｆのみを示しているが、建物が大きい場合には、上位の階や地下階等も存在し、その各フロアにおいてエリアが設定される。なお、フロアは、1つの階に限定するものではなく、建物の平面積が大きい場合は、同じ階においても複数のフロアを設定することも可能で、逆に建物が小さい場合には、複数階を１つのフロアとして扱うことも可能である。
【００１２】
空調管理装置１０はスマートデバイスやＰＣを用いたコントローラであり、入出力部１１と、管理用画面生成装置１２と、管理用画面情報記憶部１３と、空調機情報取得部１４と、空調機情報記憶部１５と、管理操作処理部１６とを有する。
【００１３】
入出力部１１は、操作・表示画面を備えたタッチパネルで構成され、表示情報を表示させるとともに、表示させた表示情報に対するユーザの画面上の操作により、情報を入力する。
【００１４】
管理用画面生成装置１２は、レイアウト表示情報記憶部１２１と、空調機グループ情報記憶部１２２と、管理用画面情報生成部１２３とを有する。レイアウト表示情報記憶部１２１は、フロアごとの、フロア内を区画する複数エリアのレイアウトを示すレイアウト表示情報（画像情報）を予め記憶する。なお、使用者は、レイアウト表示情報として、建築物の設計図面等の配置図を画像情報ファイルとして空調管理装置１０に読み込ませ、登録させることができる。
【００１５】
空調機グループ情報記憶部１２２は、複数のエリアそれぞれの識別情報であるグループ名（ロビー、小会議室、試験室、第１大会議室、第２大会議室、事務所等）がエリア識別情報として記憶され、各エリアごとに紐付された、該当するエリアに設置された空調機の識別情報（空調機識別情報）を格納した空調機グループ情報を記憶する。すなわち、すべての空調機の空調機識別情報は、それぞれが、いずれか１つのエリア識別情報に紐付けされている。このエリア識別情報となるグループ名、及び空調機識別情報とエリア識別情報との紐付けの設定は、施工業者もしくは使用者が設備配置表等に基づき空調管理装置１０の入出力部１１を操作して入力することができる。また、複数階層のある建物を対象とする場合には、フロア情報、ここでは階情報も合わせてエリア識別情報に含まれる。この場合、エリア識別情報は、例えば、『「１F（フロア）」＋「小会議室」』という形態になる。
【００１６】
管理用画面情報生成部１２３は、入出力部１１から操作者による所定フロアの空調機管理用画面情報の生成指示を取得すると、レイアウト表示情報記憶部１２１から該当するフロアのレイアウト表示情報を読み出すとともに、空調機グループ情報記憶部１２２から該当するフロア内のグループ名（エリア識別情報）を読み出して、これらの情報を入出力部１１の同一画面上に表示させる。また、画面に表示された所定フロアのグループ名の中から所望のグループ名が選択されると、選択されたグループ名に該当するエリアに設置されている空調機の識別情報を特定する。また、当該選択されたグループ名を、表示中のレイアウト表示情報上の所定位置に対応付ける操作が行われると、当該所定位置を、当該グループ名を示す表示情報の表示位置として登録して表示する。また、当該グループ名を示す表示情報の表示位置の近傍に、特定された空調機の識別情報が対応づけられた空調機（室内機）アイコンを表示させる。ここで、近傍とは、グループ名を示す表示情報の表示と空調機（室内機）アイコンの表示の一部が重なる場合も含んでいる。さらに、表示された空調機アイコンがそれぞれレイアウト表示情報上で所望の位置に移動操作されると、移動先の位置を当該空調機アイコンの表示位置として登録し、空調機AC01〜AC22を集中管理するための空調機管理用画面情報を生成する。生成された空調機管理用画面情報は、入出力部１１の画面に表示される。
【００１７】
管理用画面情報記憶部１３は、管理用画面情報生成部１２３で生成された空調機管理用画面情報を記憶する。
【００１８】
空調機情報取得部１４は、接続された各空調機AC01〜AC22と通信を行い、それぞれの空調機AC01〜AC22から、それぞれの動作情報やセンサ情報を所定時間間隔で取得する。
【００１９】
空調機情報記憶部１５は、空調機情報取得部１４で取得された情報を記憶する。
【００２０】
管理操作処理部１６は、管理用画面情報記憶部１３に記憶された空調機管理用画面情報が入出力部１１の画面に表示された状態で、空調機管理用画面内のいずれかの空調機アイコンが選択されると、選択された空調機アイコンに対応づけられた識別情報を有する空調機の管理情報を、空調機情報記憶部１５から取得して入出力部１１の画面に表示させ、表示された管理情報に基づいて該当する空調機の動作を制御するための操作が行われると、対応する制御情報を生成して該当する空調機に送信する。
【００２１】
〈第１実施形態による空調管理装置の動作〉
次に、本実施形態による空調システム１が稼働しているときに、空調管理装置１０で実行される処理について説明する。
【００２２】
本実施形態において、空調管理装置１０の管理用画面生成装置１２のレイアウト表示情報記憶部１２１には、図２に示すように当該建物内の１Ｆのレイアウト表示情報が記憶されており、当該レイアウト表示情報は、ロビーに該当するエリアａ１、小会議室に該当するエリアａ２、試験室に該当するエリアａ３、第１大会議室に該当するエリアａ４、第２大会議室に該当するエリアａ５、および事務室に該当するエリアａ６の６つに、間仕切りによって区画されたエリアのレイアウトを示している。
【００２３】
また、本実施形態において空調機グループ情報記憶部１２２には、図３に示すように、１Ｆ（フロア）に設置された空調機の識別情報を、ａ１〜ａ６のエリアそれぞれに対応するグループ名ごとに分類した空調機グループ情報が記憶されている。図３の空調機グループ情報では、グループ名「ロビー（エリアａ１）」には空調機AC01およびAC02が設置され、グループ名「小会議室（エリアａ２）」には空調機AC03およびAC04が設置され、グループ名「試験室（エリアａ３）」には空調機AC05およびAC06が設置され、グループ名「第１大会議室（エリアａ４）」には空調機AC11〜AC14が設置され、グループ名「第２大会議室（エリアａ５）」には空調機AC07〜AC10が設置され、グループ名「事務室（エリアａ６）」には空調機AC15〜AC22が設置されていることが示されている。
【００２４】
これらの情報が記憶されている状態で、ユーザの操作により当該建物の１Ｆに関する空調機管理用画面情報が生成されるときの空調管理装置１０の管理用画面生成装置１２の動作について、図４のフローチャートおよび図５〜１１の画面構成図を参照して説明する。
【００２５】
まず、ユーザ（設備管理者等）の操作により、フロアの指定がなされると、レイアウト表示情報記憶部１２１に記憶された中から１Ｆのレイアウト表示情報（図２に示す画像情報）が読み出され、図５に示すように、入出力部１１の画面１００の右部分に表示される（Ｓ１）。このとき画面１００上には、空調機の設置位置情報の登録操作を行う登録モードに移行するための「登録」ボタン１０１、およびグループ名や空調機の識別情報を表示させるための「グループ／空調機」ボタン１０２が表示されている。
【００２６】
次に、ユーザの操作により「登録」ボタン１０１が操作（タッチ）されると（Ｓ２の「YES」）、空調機の設置位置情報の登録操作を行う登録モードに移行される（Ｓ３）。登録モードに移行された状態でさらに「グループ／空調機」ボタン１０２が操作されると（Ｓ４の「YES」）、表示されているレイアウト表示情報に対応する１Ｆに関する空調機グループ情報のグループ名（ロビー、小会議室、試験室、第１大会議室、第２大会議室、事務所）が空調機グループ情報記憶部１２２から読み出され、図５に示すように、画面１００にレイアウト表示情報の左部分に表示される（Ｓ５）。
【００２７】
次に、表示されたグループ名の中からユーザの操作によりいずれかのグループ名が選択（タッチ）されると（Ｓ６の「YES」）、空調機グループ情報記憶部１２２に記憶された情報（図３参照）に基づいて、選択されたグループ名のエリアに設置されている空調機の識別情報が特定される（Ｓ７）。ここでは、グループ名「ロビー」が選択され、これに該当する空調機AC01およびAC02が特定される。
【００２８】
次に、ユーザにより、グループ名「ロビー」が選択された状態で、図６に示すようにレイアウト表示情報上のロビーに該当する位置にドラッグアンドドロップ操作されると（Ｓ８の「YES」）、図７に示すように、当該ドロップ操作位置がグループ名「ロビー」を示す「ロビー」表示情報１１０の表示位置として登録され表示されるとともに、当該「ロビー」表示情報１１０の表示位置の近傍に、ステップＳ７で特定されたエリア識別情報に紐付された空調機の識別情報AC01、AC02の各々に対応づけられた空調機アイコン２０１、２０２が表示される（Ｓ９）。この時点では、各空調機アイコン２０１、２０２の表示位置は仮の状態で、決定しておらず未登録状態である。
【００２９】
レイアウト表示情報は、単なる画像情報であり、アイコンを配置する際の背景画面となっている。空調管理装置１０では、レイアウト中の間仕切り位置等は、認識できない。したがって、ステップＳ７における空調機アイコンの表示位置は、間仕切り上や隣のエリアにまたがって表示される可能性がある。このような位置に空調機アイコンが表示されるとユーザに混乱を招いてしまう。このため、空調機アイコンはできるだけ、グループ名「ロビー」と近づけた位置に表示することが望ましい。この状態で、「ロビー」内の空調機アイコンの登録を完了させても良いが、上述のように初期位置がグループ名の近傍に偏った表示となるため、空調機アイコン２０１、２０２をレイアウト画像上のより見やすい位置に移動可能とし、ユーザーが、適切な位置に調整して再配置することが望ましい。
【００３０】
そこで、次に、ユーザにより、「ロビー」表示情報１１０の近傍に表示された空調機アイコンのうち、空調機アイコン２０１が選択(タッチ)され、図８に示すようにレイアウト表示情報内のロビーに該当するエリア内の所望の位置（実際に該当する空調機が設置されている位置に対応する、レイアウト表示情報のロビーエリアａ１内の位置）にドラッグアンドドロップ操作されると（Ｓ１０の「YES」）、図９に示すように、当該ドロップ操作位置が空調機アイコン２０１の表示位置として登録され表示される（Ｓ１１）。
【００３１】
この時点で、空調機アイコン２０２の表示位置がまだ登録されていないためステップＳ１０に戻り（Ｓ１２の「NO」）、同様の処理により、空調機アイコン２０２の表示位置が登録される（Ｓ１０の「YES」、Ｓ１１）。
【００３２】
ステップＳ９で表示されたエリア識別情報に紐付されたすべての空調機アイコンの表示位置が登録されると（Ｓ１２の「YES」）、１Ｆの他のグループ名に関して空調機アイコンの表示位置の登録処理が未だ実行されていないため（Ｓ１３の「NO」）ステップＳ６に戻り、すべてのグループ名について処理が終了するまで繰り返される。
【００３３】
１Ｆのすべてのグループ名について空調機アイコンの表示位置の登録処理が終了すると（Ｓ１３の「YES」、図１０に示すように空調機管理用画面が生成される。図１０に示す空調機管理用画面では、レイアウト表示情報上のロビーに該当する位置に、「ロビー」表示情報１１０およびロビーに設置されている空調機を示す空調機アイコン２０１、２０２が登録され、小会議室に該当する位置に、「小会議室」表示情報１１１および小会議室に設置されている空調機を示す空調機アイコン２０３、２０４が登録され、試験室に該当する位置に、「試験室」表示情報１１２および試験室に設置されている空調機を示す空調機アイコン２０５、２０６が登録され、第１大会議室に該当する位置に、「第１大会議室」表示情報１１３および第１大会議室に設置されている空調機を示す空調機アイコン２１１〜２１４が登録され、第２大会議室に該当する位置に、「第２大会議室」表示情報１１４および第２大会議室に設置されている空調機を示す空調機アイコン２０７〜２１０が登録され、事務所に該当する位置に、「事務所」表示情報１１５および事務所に設置されている空調機を示す空調機アイコン２１５〜２２２が登録されている。生成された空調機管理用画面情報は、管理用画面情報記憶部１３に記憶される。
【００３４】
一方、空調管理装置１０の空調機情報取得部１４では、接続された各空調機AC01〜AC22から、それぞれの管理情報として、空調機状態を示す項目（運転/停止、運転モード、設定温度、風量、フラップ、セーブ等）ごとの情報が所定時間間隔で取得され、空調機情報記憶部１５に記憶されている。
【００３５】
そして、管理用画面情報記憶部１３に記憶された空調機管理用画面情報が入出力部１１の画面１００に表示された状態で、ユーザの操作により空調機管理用画面内のいずれかの空調機アイコンが選択されると、管理操作処理部１６により、選択された空調機アイコンに対応づけられた識別情報を有する空調機の管理情報が空調機情報記憶部１５から取得され、画面１００に表示される。図１１は、空調機AC15に対応する空調機アイコン２１５が選択され、当該空調機AC15の管理情報として、空調機状態を示す項目ごとの情報が左欄に表示された状態を示す。
【００３６】
そして、表示された管理情報に基づいて、ユーザにより該当する空調機AC15の動作を制御するための操作、例えば設定温度を変更する操作が行われると、管理操作処理部１６により当該操作に基づいて空調機AC15の動作を制御するための制御情報が生成され、空調機AC15に送信される。
【００３７】
以上の第１実施形態によれば、レイアウト画面を作成するユーザはどのエリアにどの空調機が設置されているかを意識することなく、簡易な操作で空調機管理用画面情報を生成する処理を実行することができる。
【００３８】
なお、上述した第１実施形態において、空調管理装置１０からの設定変更等の操作をブロックしたい空調機については、ユーザの操作により該当する空調機アイコンを削除することで、空調機管理用画面に表示させないよう非表示操作することも可能である。この場合、画面１００に表示された空調機管理用画面の、該当するグループ名を示す表示情報上で所定の操作（例えば、長押し操作や右クリック操作）が行われたときに、当該グループ名に対応するすべての空調機の識別情報をテキスト情報で示したリスト情報を表示させることで、空調機アイコンが表示されていない空調機があることをユーザが認識できるようにしてもよい。このとき、リスト情報内のテキスト情報を、空調機管理用画面にアイコンが表示されている空調機と表示されていない空調機とで異なる色調または異なる明るさで表示させることで、空調機アイコンが表示されていない空調機をユーザがさらに認識しやすくしてもよい。
【００３９】
《第２実施形態》
本発明の第２実施形態による空調管理装置を利用した空調システムの構成は、第１実施形態で説明した空調システム１の構成と同様であるため、同一機能を有する部分の詳細な説明は省略する。
【００４０】
本実施形態において空調管理装置１０の管理用画面生成装置１２の管理用画面情報生成部１２３は、画面に表示された所定フロアのグループ名の中から所望のグループ名が選択され、選択されたグループ名を表示中のレイアウト表示情報上の所定位置に対応付ける操作が行われたときに、レイアウト表示情報上に登録された当該グループ名を示す表示情報の表示位置の近傍に、当該グループ名に対応するすべての空調機の識別情報をテキスト情報で示したリスト情報を表示させる。そして、表示されたリスト情報内の各テキスト情報がそれぞれレイアウト表示情報上で所望の位置に移動操作されると、移動先の位置を、該当する空調機の識別情報が対応づけられた空調機アイコンの表示位置として登録する。
【００４１】
この方式によれば、操作が若干面倒になる欠点はあるが、第１実施形態のように空調機アイコンの初期の表示位置が、間仕切り上や隣のエリアにまたがって表示されてユーザに混乱を招くことがない。
【００４２】
具体的に、本実施形態において、ユーザの操作により当該建物の１Ｆに関する空調機管理用画面情報が生成されるときの空調管理装置１０の管理用画面生成装置１２の動作について、図１２のフローチャートおよび図１３〜１５の画面構成図を参照して説明する。
【００４３】
図１２のフローチャートにおいて、ステップＳ２１〜Ｓ２５の処理は、第１実施形態において説明したステップＳ１〜Ｓ５の処理と同様であるため、詳細な説明は省略する。
【００４４】
ステップＳ２５において、画面１００にレイアウト表示情報およびグループ名が表示された状態で、ユーザの動作によりグループ名「事務所」が選択される（Ｓ２６の「YES」）と、このエリアに対応して記憶されている空調機の識別情報から空調機AC15〜AC22が特定される（Ｓ２７）。
【００４５】
次に、ユーザにより、グループ名「事務所」が選択された状態（タッチ）で、レイアウト表示情報内の事務所に該当する位置にドラッグアンドドロップ操作されると（Ｓ２８の「YES」）、図１３に示すように、当該ドロップ操作位置がグループ名「事務所」を示す「事務所」表示情報１１５の表示位置として登録され表示されるとともに、当該「事務所」表示情報１１５の表示位置の近傍に、ステップＳ２７で特定された空調機情報AC15〜AC22のテキスト情報を上下方向に整列させたリスト情報１１６が表示される（Ｓ２９）。
【００４６】
次に、ユーザにより、「事務所」表示情報１１５の近傍に表示されたリスト情報１１６内の空調機の識別情報AC17が選択（タッチ）され、図１４に示すようにレイアウト表示情報内の事務所に該当するエリア内の所望の位置にドラッグアンドドロップ操作されると（Ｓ３０の「YES」）、図１５に示すように、当該ドロップ操作位置が、当該空調機の識別情報に対応する空調機AC17を示す空調機アイコン２１７の表示位置として登録される（Ｓ３１）。そして、空調機アイコンの表示位置が登録された空調機の識別情報に関しては、リスト情報１１６から削除される（Ｓ３２）。
【００４７】
表示されたリスト情報１１６内の他の空調機の識別情報についても順次ステップＳ３０〜Ｓ３２の処理が実行される（Ｓ３３の「NO」）。そして、リスト情報１１６内のすべての空調機、すなわち当該エリア識別情報に紐付されたすべての空調機の識別情報に対応する空調機アイコンの表示位置の登録処理が終了するとリスト情報１１６が非表示になり、当該グループ名についての処理が終了する。そして、ステップＳ２６に戻って１Ｆのすべてのグループ名に関して空調機アイコンの表示位置の登録処理が終了するまで、処理が繰り返される（Ｓ３４の「NO」）。
【００４８】
１Ｆのすべてのグループ名について空調機アイコンの表示位置の登録処理が終了すると（Ｓ３４の「YES」、空調機管理用画面情報の生成処理が終了する。生成された空調機管理用画面情報は、管理用画面情報記憶部１３に記憶される。
【００４９】
記憶された空調機管理用画面情報が用いられて空調機の動作が制御される際は、第１実施形態と同様の処理が実行される。
【００５０】
以上の第２実施形態によれば、空調機管理用画面情報を生成する処理において、ユーザはどのエリアにどの空調機が設置されているかを意識することなく、簡易な操作で、すべての空調機に関する表示位置の登録処理を確実に実行することができる。
【００５１】
本発明の実施形態を説明したが、この実施形態は、例として提示したものであり、発明の範囲を限定することは意図していない。この新規な実施形態は、その他の様々な形態で実施されることが可能であり、発明の要旨を逸脱しない範囲で、種々の省略、置き換え、変更を行うことができる。この実施形態やその変形は、発明の範囲や要旨に含まれるとともに、特許請求の範囲に記載された発明とその均等の範囲に含まれる。
【符号の説明】
【００５２】
１…空調システム、１０…空調管理装置、１１…入出力部、１２…管理用画面生成装置
１３…管理用画面情報記憶部、１４…空調機情報取得部、１５…空調機情報記憶部
１６…管理操作処理部、１００…画面、１０１…「登録」ボタン
１０２…「グループ／空調機」ボタン、１１０…「ロビー」表示情報
１１５…「事務所」表示情報、１１６…リスト情報、１２１…レイアウト表示情報記憶部
１２２…空調機グループ情報記憶部、１２３…管理用画面情報生成部
２０１〜２２２…空調機アイコン
【図１】
0006637733.tif 000002
【図２】
0006637733.tif 000003
【図３】
0006637733.tif 000004
【図４】
0006637733.tif 000005
【図５】
0006637733.tif 000006
【図６】
0006637733.tif 000007
【図７】
0006637733.tif 000008
【図８】
0006637733.tif 000009
【図９】
0006637733.tif 000010
【図１０】
0006637733.tif 000011
【図１１】
0006637733.tif 000012
【図１２】
0006637733.tif 000013
【図１３】
0006637733.tif 000014
【図１４】
0006637733.tif 000015
【図１５】
0006637733.tif 000016